(57)【特許請求の範囲】
【請求項１】
建屋の外周に沿って所定の間隔を隔てて起立して設けられた胴縁を有し、かつ、該胴縁の外側に張設された外壁を有する自立式駐車場に建屋改修用のゴンドラを設置するゴンドラ設置工法において、上記建屋の改修すべき外壁面に沿って索の一端側を垂らすと共に上記改修すべき外壁面とは反対側の外壁面に沿って上記索の他端側を垂らし、上記索の一端側にゴンドラを巻上機を介して取り付ける一方、上記反対側の外壁面の外側から上記胴縁にフックを取り付け、該フックに上記索の他端側を留めることを特徴とするゴンドラ設置工法。
【請求項２】
上記フックは、上記胴縁にボルトを介して取り付けられる基部と、該基部に水平軸回り回動自在に設けられる回動部と、該回動部に設けられ上記索を留めるための丸環フック部とを備える請求項１記載のゴンドラ設置工法。
【請求項３】
上記索の他端側が複数に分岐された分岐部を有し、上記フックが上記外壁の外側から上記胴縁に複数取り付けられ、これらフックに上記分岐部がそれぞれ留められる請求項１又は２記載のゴンドラ設置工法。
【請求項４】
上記フックが、地面又は上記建屋のひさしから３ｍ〜３．５ｍの高さに設けられる請求項１〜３のいずれかに記載のゴンドラ設置工法。
【発明の詳細な説明】
【技術分野】
【０００１】
本発明は、自立式駐車場に建屋改修用のゴンドラを設置するゴンドラ設置工法に関する。
【背景技術】
【０００２】
図４に示すように、塔状に形成された建屋２内に車両を収容する駐車装置（図示せず）を設けてなる自立式駐車場１の外壁面３４を改修する場合、改修する外壁面３４とは反対側の地面に錘４０を設置し、或いは基礎４１にアンカー（図示せず）を打ち込み、この錘４０又はアンカーにワイヤ４２の一端を接続すると共にワイヤ４２の他端側を自立式駐車場１の屋根５から垂らし、このワイヤ４２の他端側にゴンドラ１６を吊り下げて外壁面３４の改修を行っている。
【０００３】
【特許文献１】特開平１１−７１８９６号公報
【発明の開示】
【発明が解決しようとする課題】
【０００４】
ところで、改修する外壁面３４とは反対側の地面に道路が迫っていたり、基礎４１に余裕がない場合、又は錘４０を設置すべき位置に簡易建物があってこの簡易建物が錘４０の重量に耐えられない場合等の理由で反対側に錘４０又はアンカーが設置できない場合、当該外壁面３４の改修が困難になるか特別な工法を強いられるという課題があった。また、錘４０は数百ｋｇと重いため、搬送や設置作業が容易でなく、一旦設置すると容易に動かせないという課題もあった。
【０００５】
そこで、本発明の目的は、上記課題を解決し、改修する外壁面とは反対側の地面や基礎に錘やアンカーが設置できない場合であっても容易にゴンドラを設置できるゴンドラ設置工法を提供することにある。
【課題を解決するための手段】
【０００６】
上記課題を解決するために本発明は、建屋の外周に沿って所定の間隔を隔てて起立して設けられた胴縁を有し、かつ、該胴縁の外側に張設された外壁を有する自立式駐車場に建屋改修用のゴンドラを設置するゴンドラ設置工法において、上記建屋の改修すべき外壁面に沿って索の一端側を垂らすと共に上記改修すべき外壁面とは反対側の外壁面に沿って上記索の他端側を垂らし、上記索の一端側にゴンドラを巻上機を介して取り付ける一方、上記反対側の外壁面の外側から上記胴縁にフックを取り付け、該フックに上記索の他端側を留めるものである。
【０００７】
上記フックは、上記胴縁にボルトを介して取り付けられる基部と、該基部に水平軸回り回動自在に設けられる回動部と、該回動部に設けられ上記索を留めるための丸環フック部とを備えるとよい。
【０００８】
上記索の他端側が複数に分岐された分岐部を有し、上記フックが上記外壁の外側から上記胴縁に複数取り付けられ、これらフックに上記分岐部がそれぞれ留められるとよい。
【０００９】
また、上記フックが、地面又は上記建屋のひさしから３ｍ〜３．５ｍの高さに設けられるとよい。
【発明の効果】
【００１０】
本発明によれば、改修する外壁面とは反対側の地面や基礎に錘やアンカーが設置できない場合であっても容易にゴンドラを設置できる。
【発明を実施するための最良の形態】
【００１１】
本発明の好適実施の形態を添付図面を用いて説明する。
【００１２】
図５に示すように、自立式駐車場（タワーパーキング）１は、塔状に形成された建屋２を有する。建屋２の外壁３は、スレートサンドイッチパネル等のパネル７からなり、外壁３にはガラリー４が１つ設けられている。建屋２の屋根５には、作業員等が屋根５に登るためのハッチ６が設けられている。また、車両の出入口の上方にはひさし３３が設けられている。
【００１３】
図１（ａ）に示すように、建屋２は、四隅に設けられた柱８と、柱８間に設けられた複数の梁（図示せず）と、梁間に設けられた斜材（図示せず）とからなる鉄骨製の骨組み９を有する。パネル７は、建屋２の骨組み９の外周に沿って所定の間隔を隔てて起立して設けられた胴縁１０の外側に張設されている。
【００１４】
具体的には、図３及び図６に示すように、胴縁１０は、それぞれリップ溝型鋼からなり、開口１１を内側に向けて配置されると共に、開口１１側の側面を、上記梁にそれぞれ取り付けられている。
【００１５】
パネル７は、メッキ鋼板をハット型に屈曲形成してなるハット型ジョイナー１２を介して胴縁１０に締結される。ハット型ジョイナー１２は、コ字状に形成される中央部１３を上下又は左右に隣接するパネル７間に介在させるようになっている。中央部１３は、パネル７間に目地形成用の溝１４を形成するようにその突出長さをパネル７の厚さより短く形成されている。パネル７間に形成される溝１４内にはコーキング材１５が充填される。
【００１６】
図１（ａ）、（ｂ）に示すように、自立式駐車場１にゴンドラ１６を設置する場合、改修すべき外壁３に臨む屋根５の隅部にゴンドラ１６を吊る索１７を掛け回すための支持具１８を設けると共に、改修すべき外壁３とは反対側の外壁３に臨む屋根５の隅部に同様の支持具１９を設ける。支持具１８、１９は、屋根５の隅部に固定される固定部２０、２１と、固定部２０、２１に回転自在に設けられ索１７を案内するためのガイドローラ２２とからなる。
【００１７】
この後、これら支持具１８、１９に索１７を掛け回して建屋２の改修すべき外壁面３４ａに沿って索１７の一端側を垂らすと共に改修すべき外壁面３４ａとは反対側の外壁面３４ｂに沿って索１７の他端側を垂らす。索１７はワイヤからなり、索１７の他端側には、複数に分岐された分岐部２３が形成されている。
【００１８】
索１７の一端側には、ゴンドラ１６を巻上機２４を介して取り付ける。ゴンドラ１６は、作業員数名が乗り込める籠状に形成されている。巻上機２４は、索１７を繰り出し可能に巻き取るドラム２５と、ドラム２５を回転させる駆動部（図示せず）とを有し、ゴンドラ１６内から操作できるように構成される。
【００１９】
また、改修する外壁面３４ａとは反対側の外壁面３４ｂの外側から胴縁１０にフック２６を水平方向に所定の間隔を隔てて３つ取り付ける。四方の外壁面を改修する場合、これら４つの外壁面の外側にフック２６を３つずつ設けることとなる。フック２６は、１つでもゴンドラ１６を吊ることが出来るように設計されているが、いずれかのフック２６に施工不良があっても安全性が損なわれないように２つ以上取り付けることが好ましい。なお、施工不良等の問題が他の安全策等によって解決されている場合、フック２６は単数であってもよく、２つ以上の複数であってもよい。
【００２０】
図２及び図３に示すように、フック２６は、胴縁１０にボルト２７を介して取り付けられる基部２８と、基部２８に水平軸回り回動自在に設けられる回動部２９と、回動部２９に設けられ索１７を留めるための丸環フック部３０とを備えて構成される。基部２８と回動部２９は、それぞれ鋼板をコ字状に屈曲形成してなり、コ字状に開口する端部同士を水平軸たるピン３１を介して回動自在に連結される。
【００２１】
フック２６の取り付け手順は、まず外壁３の外側から外壁３と胴縁１０にドリル等で孔を開ける。この孔の位置は、パネル７間のコーキング材１５の位置にすると確実に胴縁１０の位置に合わせることができる。この後、外壁３と胴縁１０に開けた孔の位置にフック２６の基部２８を配置し、この基部２８と外壁３と胴縁１０とにボルト２７を通し、このボルト２７とナット３２とで基部２８と外壁３と胴縁１０とを締結し、フック２６の基部２８と外壁３との間にコーキングを施す。またこのとき、フック２６に対するいたずらを防ぐため、フック２６を人の手が届かず、かつ、脚立等で容易に施工できる高さに設置する。すなわち、ひさし３３がある正面の外壁３の外側に配置されるフック２６の高さは、ひさし３３から３ｍ〜３．５ｍとし、左右側面と背面の外壁３の外側に配置されるフック２６の高さは、地面から３ｍ〜３．５ｍとする。
【００２２】
このようにして、フック２６が胴縁１０に取り付けられたら、それぞれのフック２６に索１７の分岐部２３をそれぞれ留める。この後、巻上機２４を作動させることでゴンドラ１６を外壁３に沿って昇降させることができる。
【００２３】
このように、建屋２の改修すべき外壁面３４ａに沿って索１７の一端側を垂らすと共に改修すべき外壁面３４ａとは反対側の外壁面３４ｂに沿って索１７の他端側を垂らし、索１７の一端側にゴンドラ１６を巻上機２４を介して取り付ける一方、反対側の外壁３の外側から胴縁１０にフック２６を取り付け、フック２６に索１７の他端側を留めてゴンドラ１６を設置するため、改修する外壁面３４ａとは反対側の地面や基礎に錘やアンカーが設置できない場合であっても、改修する外壁面３４ａとは反対側の外壁面３４ｂに沿う位置に人が進入できるスペースがあれば、容易にゴンドラ１６を設置できる。また、フック２６は、錘やアンカーのように地面に設置スペースを必要とせず、邪魔とならないため、敷地の境界を越える等の問題がない限り自立式駐車場１に恒久的に取り付けておくことができ、次回以降の補修工事の際、ゴンドラ１６を更に容易に設置することができる。またさらに、パネル７を支持する強固な胴縁１０にフック２６を取り付けるため、軽量化された屋根５等にフック２６を取り付ける場合と比べて必要な強度を容易に得ることができ、雨漏りの心配もほとんどない。
【００２４】
フック２６は、胴縁１０にボルト２７を介して取り付けられる基部２８と、基部２８に水平軸回り回動自在に設けられる回動部２９と、回動部２９に設けられ索１７を留めるための丸環フック部３０とを備えて構成されるものとしたため、簡単な構造で確実にゴンドラ１６を支持することができる。
【００２５】
索１７の他端側が複数に分岐された分岐部２３を有し、フック２６が外壁３の外側から胴縁１０に複数取り付けられ、これらフック２６に分岐部２３がそれぞれ留められるものとしたため、簡単な構造で容易にゴンドラ１６の安全性を高めることができる。
【００２６】
また、フック２６が、地面又は建屋２のひさし３３から３ｍ〜３．５ｍの高さに設けられるものとしたため、胴縁１０に取り付けたフック２６がいたずらされるのを防ぐことができ、脚立等の簡単な足場を用意するだけで容易にフック２６を取り付けることができ、フックに索を容易に付け外しできる。
【００２７】
なお、索１７はワイヤからなるものとしたがこれに限るものではない。例えば索１７はロープやチェーンからなるものであってもよい。
【００２８】
また、フック２６は、丸環フック部３０を有するものに限るものではなく、鉤型のフック部を有するものであってもよく、ボルト状のものであってもよい。
【００２９】
またさらに、上述の実施の形態では既設の自立式駐車場１にゴンドラ１６を設置する場合について述べたが、自立式駐車場１を新築する場合、予め胴縁１０に外壁３の外側に突出するフック２６を取り付けておくとよい。
【図面の簡単な説明】
【００３０】
【図１】（ａ）は本発明の好適実施の形態を示すゴンドラの側面図であり、（ｂ）は（ａ）のＡ−Ａ線矢視図である。
【図２】図１（ａ）の要部拡大図である。
【図３】フックの斜視図である。
【図４】従来のゴンドラ設置工法で設置したゴンドラの側面図である。
【図５】自立式駐車場の斜視説明図である。
【図６】自立式駐車場の外壁の概略平面断面図である。
【符号の説明】
【００３１】
１  自立式駐車場
２  建屋
３  外壁
１０  胴縁
１６  ゴンドラ
１７  索
２３  分岐部
２４  巻上機
２６  フック
２７  ボルト
２８  基部
２９  回動部
３０  丸環フック部
３４ａ  改修すべき外壁面
３４ｂ  反対側の外壁面
【図１】
0004833187.tif 000002
【図２】
0004833187.tif 000003
【図３】
0004833187.tif 000004
【図４】
0004833187.tif 000005
【図５】
0004833187.tif 000006
【図６】
0004833187.tif 000007